(57)【特許請求の範囲】
【請求項１】
防災受信盤から又は中継増幅盤を介してトンネル内に引き出された伝送線及び電源線にトンネル内に複数設けられた水噴霧用ヘッドの各々に対して放水制御を行う自動弁を中継器を介して接続し、火災時に放水を行う場所の中継器アドレスを指定した自動弁の制御信号を送信し、前記中継器で自己アドレスに一致するアドレスの制御信号を受信した際に前記防災受信盤又は中継増幅盤からの電源電圧で自己の自動弁を開駆動して水噴霧ヘッドから消火用水を放水させるトンネル防災設備に於いて、
前記中継器は、前記防災受信盤又は中継増幅盤から自動弁の制御信号を受けた際に自動弁に駆動用電源を供給するためオンするリレー接点を前記電源線と前記自動弁との間に設け、
前記防災受信盤又は中継増幅盤は、後段の電源線に水噴霧制御を行わない定常時に前記自動弁を駆動する電圧よりも低い線路監視電圧を供給し、水噴霧制御時には前記自動弁を駆動する電圧の供給に切替える電源切替部と、前記電源切替部が定常時の線路監視電圧を供給状態で後段の電源線の電流を監視する電流監視部を設け、前記電流監視部が定常時に電源線の電流増加を検出した際に前記自動弁の誤作動を判断することを特徴するトンネル防災設備。
【請求項２】
請求項１記載のトンネル防災設備に於いて、前記電流監視部が電流増加を検出した際に、電流増加を検出した箇所の電源線に接続している全ての中継器に対し自動弁をオフ駆動する制御信号を送信して非駆動状態に復旧させることを特徴とするトンネル防災設備。
【請求項３】
請求項１記載のトンネル防災設備に於いて、前記中継器への自動弁の制御信号の送信は、前記電流監視部が電流増加を検出していないことを確認した後に送信することを特徴とするトンネル防災設備。
【請求項４】
請求項２記載のトンネル防災設備に於いて、電流増加を検出した箇所の電源線に接続している全ての中継器に対し自動弁をオフ駆動する制御信号を送信した後に、再度、電流増加を検出した場合は、電流増加を検出した電源線の異常表示を行うことを特徴とするトンネル防災設備。
【発明の詳細な説明】
【０００１】
【発明の属する技術分野】
本発明は、自動車専用道路のトンネル内に設置され車両事故等により発生した火災を検知して水噴霧制御により消火するトンネル防災設備に関する。
【０００２】
【従来の技術】
従来のトンネル防災設備としては、例えば特開平６−２２３２７９がある。このトンネル防災設備は、トンネル内の区間毎に設置した複数の水噴霧用ヘッドの自動弁毎に固有のアドレスが設定された中継器（信号変換器）を接続し、自動弁を制御するときは、防災盤から制御する自動弁に対応した中継器アドレスを含む制御信号を送出し、中継器が自己アドレスに一致する制御信号を受信すると自己に接続された自動弁を開駆動して水噴霧制御を行う。
【０００３】
このトンネル内の区画毎に設けた中継器付きの自動弁は、防災盤からトンネル内に引き出された伝送線および電源線に接続される。ところで、トンネル防災設備で防災盤から火災検知器や自動弁等の端末までの距離が長い場合には、線路による電圧降下が大きいために、伝送線及び電源線の途中に中継増幅盤を一定間隔毎に配置し、伝送信号を中継増幅すると共に、各中継盤が後段の中継増幅盤との間に接続している端末に対して電源を供給するようにしている。
【０００４】
【発明が解決しようとする課題】
しかしながら、防災盤や中継増幅盤から後段の電源線に接続した自動弁に駆動電源を供給するようにしたトンネル防災設備にあっては、防災盤や中継増幅盤が自動弁に駆動電源を常時供給しているため、車の衝突などで内部回路の自動弁駆動用のリレー接点が制御側に動くなどして何らかの要因で自動弁の中継器が故障した場合、自動弁が誤作動してヘッドから誤放水が行われてしまう。
【０００５】
この対策として、水噴霧制御を行わない定常時（鎖錠時）は、防災盤や中継増幅盤から自動弁に電源供給を行わず、水噴霧制御を行う放水時（鎖錠解時）に自動弁に電源を供給するという方法が考えられる。しかし、水噴霧制御を行わない定常時は電源線が無電圧状態となるため、自動弁電源線の短絡や断線といった線路異常を監視することができず、水噴霧制御を行う放水時に自動弁に電源を供給しても、線路異常によって放水できないことが考えられる。
【０００６】
本発明は、水噴霧の放水制御を行わない時に中継器の駆動リレー接点が駆動側に動いても自動弁が誤動作せず、同時に自動弁と線路の異常監視を可能にしたトンネル防災設備を提供することを目的とする。
【０００７】
【課題を解決するための手段】
この目的を達成するため本発明は次のように構成する。本発明は、防災受信盤から又は中継増幅盤を介してトンネル内に引き出された伝送線及び電源線にトンネル内に複数設けられた水噴霧用ヘッドの各々に対して放水制御を行う自動弁を中継器を介して接続し、火災時に放水を行う場所の中継器アドレスを指定した自動弁の制御信号を送信し、中継器で自己アドレスに一致するアドレスの制御信号を受信した際に防災受信盤又は中継増幅盤からの電源電圧で自己の自動弁を開駆動して水噴霧ヘッドから消火用水を放水させるトンネル防災設備を対象とする。
【０００８】
このようなトンネル防災設備につき本発明は、中継器は、前記防災受信盤又は中継増幅盤から自動弁の制御信号を受けた際に自動弁に駆動用電源を供給するためオンするリレー接点を前記電源線と前記自動弁との間に設け、防災受信盤又は中継増幅盤は、後段の電源線に水噴霧制御を行わない定常時（鎖錠時）に自動弁を駆動する電圧（例えば４８Ｖ）よりも低い線路監視電圧（例えば５Ｖ）を供給し、水噴霧制御時（鎖錠解時）には自動弁を駆動する電圧の供給に切替える電源切替部と、電源切替部が定常時の線路監視電圧を供給状態で後段の電源線の電流を監視する電流監視部を設け、電流監視部が定常時に電源線の電流増加を検出した際に自動弁の誤作動を判断することを特徴する。
【０００９】
このため自動弁を駆動制御するとき以外は、自動弁には駆動可能電圧以下の線路監視電圧しか供給されておらず、車両事故による衝突等の何らかの影響で中継器の自動弁駆動用リレー接点が閉じた場合でも、自動弁が開放側に駆動することがなく、誤放水を防止する。
【００１０】
即ち、自動弁は、自動弁は、水噴霧制御時（鎖錠解時）の自動弁駆動電圧（４８Ｖ）への電源切替制御と、中継器に対する制御信号による自動弁駆動側への切替とのＡＮＤによって自動弁の水噴霧制御が行われるため、中継器の故障時の誤放水を確実に防止する。
【００１１】
また、自動弁駆動用リレー接点が自動弁駆動側になっていると、自動弁電源線のインピーダンスが低下して監視電流が増加することから、これを電流監視部で検出することによって、監視電流の増加を検出した防災受信盤や中継増幅盤に接続されたいずれかの中継器の自動弁駆動リレーが誤動作していることが判別できる。
【００１２】
電流監視部が電流増加を検出した際に、電流増加を検出した箇所の電源線に接続している全ての中継器に対し自動弁をオフ駆動する制御信号を送信して非駆動状態に復旧させる。
【００１３】
このように中継器のリレー接点が誤作動により自動弁駆動側になったことが防災受信盤や中継増幅盤からの電流増加検出信号で判った場合には、その防災受信盤や中継増幅盤から電源供給を行っている区間全ての中継器にリレー接点を自動弁非駆動側にする自動弁をオフ駆動する制御信号（復旧信号）を送信することで、誤動作した中継器を自動弁の非駆動状態に強制的に復旧する。
【００１４】
中継器への自動弁の制御信号の送信は、電流監視部が電流増加を検出していないことを確認した後に送信する。これによって自動弁を駆動側にしている誤作動した中継器が、電源線に対する自動弁駆動電圧の供給によって自動弁を誤作動してしまうことを防止し、水噴霧制御したい中継器の自動弁のみを確実に制御できるようにする。
【００１５】
電流増加を検出した箇所の電源線に接続している全ての中継器に対し自動弁をオフ駆動する制御信号を送信した後に、再度、電流増加を検出した場合は、電流増加を検出した電源線の異常表示を行う。
【００１６】
電流増加を検出し全ての中継器に復旧制御を行っても、なお電流増加を検出している場合には中継器側の異常ではなく、電源線側の異常と判断するものである。これにより中継器側の異常とともに電源線側の異常も判断でき、異常内容を特定して異常表示を行うことができる。
【００１７】
【発明の実施の形態】
図１は本発明によるトンネル防災設備のシステム構成の説明図である。
【００１８】
図１において、防災受信盤１はトンネル設備の監視室に設置されており、この監視室に設置された防災受信盤１より上りトンネルに対し上り線２ａが引き出され、また下りトンネルに対し下り線２ｂが引き出されており、この実施形態にあっては上り線２ａ側を示している。
【００１９】
上り線２ａとしては、防災受信盤１より検知器ライン３と中継器ライン４が引き出されている。検知器ライン３及び中継器ライン４は、トンネル内の道路の路肩のトンネル壁根元部分に構築した監視員通路のダクト内などに配線されている。検知器ライン３には所定間隔で火災検知器５が接続され、また中継器ライン４には所定間隔で水噴霧用ヘッドからの水噴霧制御を行うための中継器６を接続している。
【００２０】
更に、検知器ライン３及び中継器ライン４に対しては、一定間隔例えば８００メートルの間隔ごとに中継増幅盤７−１，７−２，・・・７−ｎが設けられている。
【００２１】
更に防災受信盤１に対してはポンプ制御盤８が設けられ、水噴霧ヘッドの放水制御の際にポンプ制御盤８により図示しない消火ポンプを運転して、加圧消火用水をトンネル内のヘッドに供給して水噴霧制御を行うようにしている。
【００２２】
防災受信盤１と火災検知器５の間、防災受信盤１と中継器６及び中継増幅盤７−１〜７−ｎとの間の制御信号及び応答信号の伝送は、それぞれに固有のアドレスが予め割り当てられており、制御対象または応答先を指定したアドレスを含む制御信号または応答信号を検知器ライン３及び中継器ライン４を介して行い、受信側にあっては自己アドレスに一致するアドレスの制御信号または応答信号を受信して必要な処理を行うようになる。
【００２３】
この防災受信盤１と火災検知器５、中継器６、中継増幅盤７−１〜７−ｎとの間の伝送は、処理要求が発生した際に、アドレスを含む制御信号または応答信号を送出する伝送方式以外に、防災受信盤１から一定間隔でポーリングコマンドを端末側に送信し、ポーリングコマンドによる制御とポーリングコマンドに対する応答コマンドによる応答信号の返送を行うようにしてもよい。
【００２４】
図２は、図１の中継増幅盤７−１，７−２の部分を取り出して示した実施形態の回路ブロック図である。尚、図２は中継器ライン４に関係する部分のみ取り出している。
【００２５】
図２において、中継増幅盤７−１には防災受信盤１側より電源線８ａ，８ｂが接続され、この自動弁電源線８ａ，８ｂは中継増幅盤７−１を介して後段の中継増幅盤７−２に接続されている。また防災受信盤１からの伝送線９は中継増幅盤７−１に設けた伝送制御回路１０に入力され、その出力としての伝送線９が更に中継増幅盤７−２に接続されて、その伝送制御回路１０に接続されている。
【００２６】
伝送制御回路１０には電源切替リレーＡが設けられている。電源切替リレーＡは切替リレー接点ａ１を有し、この電源切替リレー接点ａ１の一方には自動弁を駆動する電圧４８ボルトが供給され、切替リレー接点ａ１の他方には自動弁を駆動する電圧４８ボルトより小さい５ボルトの電源電圧が印加されている。
【００２７】
電源切替リレーＡは、防災受信盤１からの鎖錠用電源切替制御コマンドと鎖錠解用電源切替制御コマンドにより切り替えられる。図１のトンネル防災設備を立ち上げた時の初期状態では、中継増幅盤７−１〜７−ｎの電源切替リレーＡは非作動にあり、その切替リレー接点ａ１は図示のように電源５ボルト側に切り替わっている。
【００２８】
防災受信盤１でトンネル内火災などの発生を判断したときや、手動にて放水区画を選択して放水を行う場合には、中継増幅盤７−１のアドレスを含む鎖錠解用電源切替制御コマンドを送信し、このコマンドを伝送制御回路１０で受信して電源切替リレーＡを作動し、その切替リレー接点ａ１を電源電圧４８ボルト側に切り替える。
【００２９】
また中継増幅盤７−１には断線監視回路１２が設けられ、その断線検出リレー接点１２ａ，１２ｂを中継増幅盤内の電源線８ａ，８ｂに設けており、断線検出回路１２が断線検出を行っていない定常時に断線検出切替リレー１２ａ，１２ｂを断線監視回路１２側に切り替えている。
【００３０】
このため防災受信盤１からの電源線８ａ，８ｂは断線検出切替リレー接点１２ａ，１２ｂの部分で後段側と切り離され、この切り離された後段側の電源線８ａ，８ｂに対し切替リレー接点ａ１による５ボルトまたは４８ボルトの電源電圧の供給が行われる。即ち中継増幅盤７−１の電源回路は、後段の中継増幅盤７−２との間に設けている電源線８ａ，８ｂに対し電源供給を行う。この点は次の中継増幅盤７−２についても同様である。
【００３１】
中継増幅盤７−１に設けた電源切替リレーＡの切替リレー接点ａ１の定常時に閉じている図示の５ボルト側には電流監視回路１１が設けられている。電流監視回路１１は、電源線８ａ，８ｂに対する５ボルトの電源供給状態で中継器６の制御による自動弁１４の駆動は行われないことから監視用の微少の電流が流れているが、もし定常時に監視電流値以上の電流増加を検出した場合には中継器６側の異常による自動弁１４の誤動作と判断し、伝送制御回路１０によって防災受信盤１に対しアドレスを含む電流増加検出コマンドを送信する。
【００３２】
中継増幅盤７−１から後段に引き出された電源線８ａ，８ｂ及び伝送線９には、複数の中継器６が接続されている。中継器６は伝送回路１３を備え、伝送回路１３は伝送線９に接続されている。伝送回路１３は図１の防災受信盤１からの自己アドレスを指定した制御コマンドを受信して自動弁１４の制御駆動を行う。
【００３３】
また防災受信盤１からの制御コマンドに対し正常に制御動作が行われると応答コマンドを送信する。伝送回路１３には自動弁駆動リレーＢと開閉切替制御リレーＣが設けられている。自動弁駆動リレーＢはリレー接点ｂ１，ｂ２を有し、それぞれ中継増幅盤７−１からの電源線８ａ，８ｂに接続している。ここで電源線８ａはプラス側、電源線８ｂはマイナス側となる。
【００３４】
開閉切替制御リレーＣは切替リレー接点ｃ１，ｃ２を備え、自動弁１４に対しリレー接点ｂ１，ｂ２を介して得られた電源に対する転極回路を構成している。自動弁駆動リレーＢはリレー非作動状態で図示のようにリレー接点ｂ１，ｂ２を開いて自動弁１４の駆動オフ状態としている。
【００３５】
このため伝送回路１３により自動弁駆動リレーＢを作動するとリレー接点ｂ１，ｂ２がオンし、自動弁１４に対する電源供給を行って駆動する。また開閉切替制御リレーＣは定常状態で非作動状態にあり、このとき切替リレー接点ｃ１，ｃ２は図示の閉切替側に切り替わっている。このため水噴霧制御のために自動弁１４を開きたい場合には、伝送回路１３により開閉切替制御リレーＣを作動し、切替リレー接点ｃ１，ｃ２を図示の反対側に切り替える。
【００３６】
このように中継器６は自動弁駆動リレーＢと開閉切替リレーＣを備えていることから、防災受信盤１から水噴霧制御を行う際には、まず弁切替制御コマンドを中継器６のアドレスを指定して送信し、開閉切替制御リレーＣを作動して切替リレー接点ｃ１，ｃ２を開制御側に切り替えた後、自動弁オン制御コマンドを中継器６のアドレスを指定して送信し、自動弁駆動リレーＢの作動でリレー接点ｂ１，ｂ２を閉じ、これによって自動弁１４に開制御方向の極性の電源供給を行って自動弁１４を開駆動し、水噴霧ヘッド１５より消火用水を放出させる。
【００３７】
更に本発明にあっては、自動弁１４の駆動は中継器６の制御のみならず、中継増幅盤７−１における電源切替えを同時に必要とする。このため防災受信盤１は、中継増幅盤７−１の後段から引き出された電源線８ａ，８ｂに接続している中継器６のいずれかの自動弁１４を駆動したい場合には、中継器６の制御に先立って、まず中継増幅盤７−１のアドレスを指定して鎖錠解用電源切替制御コマンドを送信し、これを中継増幅盤７−１の伝送制御回路１０で受信して電源切替リレーＡを作動し、切替リレー接点ａ１を鎖錠解時の４８ボルト側に切り替え、電源線８ａ，８ｂに自動弁１４の駆動に必要な電源電圧４８ボルトを供給する。
【００３８】
その後に、防災受信盤１は水噴霧制御を行いたい中継器６のアドレスを指定して、弁開切替制御コマンドと自動弁オン制御コマンドを順次送信し、開閉切替制御リレーＣの作動で切替リレー接点ｃ１，ｃ２を開制御側に切り替え、続いて自動弁駆動リレーＢの作動でリレー接点ｂ１，ｂ２をオンし、これによって自動弁１４に電源電圧４８ボルトを供給して開駆動し、水噴霧ヘッド１５より消火用水を放水させる。
【００３９】
ここで自動弁１４としては例えば電動弁を使用しており、開駆動を行うと一定時間後に全開になる。この自動弁１４の全開を中継器６側で自動弁１４から水噴霧ヘッド１５間の消火配管に設けた圧力スイッチの検出信号から認識し、伝送回路１３により防災受信盤１に対し自動弁１４の開放を示す自動弁開応答コマンドをステータスコマンドとして応答する。
【００４０】
水噴霧ヘッド１５による水噴霧制御を停止したい場合には、防災受信盤１から中継器６に弁閉切替コマンドを送信して開閉切替制御リレーＣを復旧することで、切替リレー接点ｃ１，ｃ２を図示の閉制御側に切り替える。続いて自動弁オン制御コマンドを送信して自動弁駆動リレーＢを作動してリレー接点ｂ１，ｂ２をオンし、自動弁１４に閉制御方向の極性の電源電圧４８ボルトを送って自動弁１４の閉駆動を行う。自動弁１４が全閉になると、消火配管に設けた圧力スイッチなどによる全閉検出に基づき中継器６の伝送回路１３は、自動弁閉応答コマンドをステータスコマンドとして防災受信盤１に送信するようになる。
【００４１】
端末側からの応答コマンドは、中継増幅盤７−１における伝送制御回路１０による電源切替リレーＡの作動による４８ボルトへの電源切替え、また５ボルトへの電源切替えの際にも行われ、４８ボルトに切り替えた際には鎖錠解用電源切替応答コマンドが送信され、５ボルトに戻した場合には鎖錠用電源切替応答コマンドが送信されることになる。
【００４２】
図３は、図１の防災受信盤１と中継増幅盤７−１間を取り出して示した実施形態の回路ブロック図である。
【００４３】
図３において、図２の構成と同じ機能は同じ記号で示し、詳しい説明は省略する。防災受信盤１からは電源線８ａ，８ｂ及び伝送線９が引き出され、中継増幅盤７−１に接続される。電源線８ａ，８ｂ及び伝送線９には中継器６が複数接続されており、防災受信盤１との伝送のやりとりを行っている。
【００４４】
防災受信盤１には、中継増幅盤７、中継器６等への監視制御を行う制御部１６を備え、制御部１６には火災検出や障害などを表示する表示部１７や、手動操作用の操作部１８を備えている。伝送回路１９は中継増幅盤７や中継器６に対して各種のコマンドのやりとりを行うものである。
【００４５】
更に制御部１６にはリレーＡが接続されている。リレーＡは図２の中継増幅盤７の伝送制御回路１０のリレーＡと同様であり、リレーＡを動作させるとリレー接点ａ１が動作し、図２の中継増幅盤７−１と同様に後段の電源線８ａ，８ｂに監視用の電源５Ｖ、もしくは自動弁駆動用の電源４８Ｖを切り換えて供給できるようになっている。
【００４６】
通常時はリレー接点ａ１は監視用の５Ｖ側に切り換えられており、中継増幅盤７−１までの電源線８ａ，８ｂに監視用の微少電流を流している。火災時や手動起動時に、防災受信盤１と中継増幅盤７−１の間の中継器６に自動弁の制御を行うときには、防災受信盤１から中継器６に対して、リレーＣを駆動するための弁開閉切替信号、リレーＢを駆動するための自動弁駆動信号を送出し、さらに防災受信盤１のリレーＡを駆動して後段の電源線８ａ，８ｂに対して４８Ｖを切替供給する。
【００４７】
さらに防災受信盤１の電流監視回路１１は後段の８ａ，８ｂの監視電流の値を監視しており、中継器が何らかの誤動作によりリレー接点ｂ１，ｂ２が動作して監視電流が増加した場合には、防災受信盤１から中継増幅盤７−１までに設けられた中継器６全てに対して復旧信号を送出して復旧作業を行う。詳細は図８で中継増幅盤７−１を例として後述する。
【００４８】
図４は図１の本発明によるトンネル防災設備の伝送に使用されるコマンドをまとめている。
【００４９】
図４において、防災受信盤１から中継増幅盤７−１〜７−ｎ側に対しては、監視用の５ボルトの電源供給に切り替えるための鎖錠用電源切替制御コマンドと自動弁駆動のための４８ボルトの電源供給に切り替えるための鎖錠解用電源切替制御コマンドが送信される。
【００５０】
中継増幅盤７−１〜７−ｎ側から防災受信盤１に対しては、鎖錠解用電源切替応答コマンド、鎖錠用電源切替応答コマンド、更に線路監視による電流増加検出コマンドと断線検出コマンドが送信される。
【００５１】
防災受信盤１から中継器６に対しては、自動弁駆動リレーＢをオンする自動弁オン制御コマンドと、自動弁駆動リレーＢをオフする自動弁オフ制御コマンドが送信される。また開閉切替制御リレーＣを作動する弁開切替制御コマンドと、開閉切替制御リレーＣを復旧する弁閉切替制御コマンドが送信される。
【００５２】
中継器６から防災受信盤１に対しては、自動弁駆動リレーＢの作動を示す自動弁オン応答コマンドと自動弁駆動リレーＢの復旧を示す自動弁オフ応答コマンドが送信される。また中継器６から防災受信盤１に対しては、自動弁の開閉切替制御リレーＣの開切替制御の結果を通知する弁開応答コマンドと、閉切替制御の結果を通知する弁閉応答コマンドが送信される。
【００５３】
更に、中継器６からの防災受信盤１に対しては、自動弁が開いたことを通知する自動弁開応答コマンドと、自動弁が閉じたことを通知する自動弁閉応答コマンドが送信される。
【００５４】
尚、図１の防災受信盤１と火災検知器５との間では、防災受信盤１から火災検知器５に対し検知情報収集コマンドが送信され、これに対し検知情報応答コマンドが返送されることになる。また必要に応じて防災受信盤１から火災検知器５側に試験制御コマンドを発行し、これに対し火災検知器５側より試験結果を示す試験応答コマンドを返送する。
【００５５】
これ以外にも、防災受信盤１と端末側での情報のやり取り、もしくは制御に必要な適宜のコマンドが使用できる。
【００５６】
図５は図１の防災受信盤１の制御動作のフローチャートである。図５において、電源立ち上げに伴う初期設定で図２の実施形態のように中継増幅盤７−１，７−２，・・・側は鎖錠状態、即ち電源切替リレーＡの切替リレー接点ａ１を５ボルト側に切り替えており、また中継器６は自動弁１４の非作動状態としている。
【００５７】
このような定常状態即ち水噴霧制御の鎖錠状態で、ステップＳ１のように火災検知器５からの火災信号に基づく火災判断及び手動による放水操作の有無の判断を行っている。ステップＳ１で火災判断もしくは手動による放水区画の選択で放水操作がが行われると、ステップＳ２の自動弁開制御を行う。この自動弁開制御は、火災と判断した区画の中継増幅盤に対する鎖錠解用電源切替制御コマンドの送信、水噴霧制御の対象となる中継器６のアドレスを指定した弁開切替制御コマンドと自動弁オン制御コマンドの送信を行い、放水する区画の水噴霧ヘッドからの放水で消火を行う。
【００５８】
ステップＳ２の自動弁開制御による水噴霧制御を開始すると、ステップＳ３で火災鎮火の有無をチェックしており、現場確認などによる火災鎮火判断が行われると、ステップＳ４に進み、自動弁閉制御を行う。この自動弁閉制御は、ステップＳ２の自動弁開制御の対象となった中継増幅盤に対する鎖錠用電源切替制御コマンドの送信による５ボルト電源への切り替え、及び水噴霧制御を行っている中継器に対する弁閉切替制御コマンドと自動弁オフ制御コマンドの送信を行うことになる。
【００５９】
一方、ステップＳ１で火災判断や手動起動操作がない場合には、ステップＳ５に進み、端末異常の有無をチェックしている。ステップＳ５で端末異常が判別されると、ステップＳ６の異常対応処理を行う。このようなステップＳ１〜Ｓ６の処理を繰り返す。
【００６０】
図６は図５のステップＳ２における自動弁開制御の詳細を示したフローチャートであり、図２の中継増幅盤７−１の後段の区画で火災が発生した場合を例にとって説明する。
【００６１】
まずステップＳ１で制御対象とする自動弁の中継器６を接続している電源線に電源を供給している中継増幅盤７−１による監視電流をチェックする。もし中継増幅盤７−１に設けている電流監視回路１１から電流増加検出コマンドを受信していれば、ステップＳ２で監視電流増加と判断し、この場合には端末異常を警報表示して処理を終了する。
【００６２】
ステップＳ２で中継増幅盤７−１の監視電流の増加がなければ、ステップＳ３で中継増幅盤７−１に鎖錠解用電源切替制御コマンドを含む電源切替制御電文を送信し、中継増幅盤７−１のリレーＡを動作させて後段の電源線８ａ，８ｂに対する電源供給を、それまでの５ボルトから４８ボルトに切り替える。
【００６３】
続いてステップＳ４で中継増幅盤７−１からの鎖錠解用電源切替応答コマンドによる電源切替応答の有無をチェックし、もしステップＳ５で一定時間経過しても電源切替応答がなければ異常終了とする。ステップＳ４で一定時間内に電源切替応答があれば、中継増幅盤７−１において５ボルトから４８ボルトへの電源切替えが正常に行われたものと判断し、ステップＳ６で水噴霧制御の対象とする自動弁１４の中継器６に対し弁開切替制御コマンドによる弁切替制御の電文を送信する。
【００６４】
この弁開制御切替えの電文送信に対し、中継器６はリレーＣの作動でリレー接点ｃ１，ｃ２が開制御側へ切り替わることにより、ステップＳ７で中継器６より弁開切替応答コマンドによる弁開制御切替応答が、ステップＳ８の一定時間のタイムオーバ前にあれば、正常に中継器６側で弁開切替制御が行われたものと判断し、ステップＳ９で水噴霧制御対象とする自動弁の中継器６に対し自動弁オン制御コマンドによる自動弁オン制御の電文を送信する。
【００６５】
この自動弁オン制御の電文に対し、中継器６はリレーＢが作動することによるリレー接点ｂ１，ｂ２のオンで、中継器６側より自動弁オン応答コマンドによる開制御応答が、ステップＳ１０でステップＳ１１の一定時間タイムオーバ前に判別されると、正常に自動弁の開制御が行われたものと判断し、一連の自動弁開制御処理が正常終了したものとして、図５のメインルーチンにリターンする。
【００６６】
尚、このステップＳ１０の開制御応答を受信した後に、自動弁の中継器６に自動弁オフ制御コマンドによる自動弁オフ制御を行っても良い。
【００６７】
図７は、図５のステップＳ４の水噴霧制御を停止するための自動弁閉制御の詳細を示したフローチャートであり、図２の中継増幅盤７−１の区画で火災が発生した場合を例にとって説明する。
【００６８】
この自動弁閉制御は、まずステップＳ１で制御対象とする自動弁の中継器６に対し、弁閉切替制御コマンドによる閉制御切替えの電文を送信する。この閉制御切替えの電文送信に対し、中継器６はリレーＣを復旧し、リレー接点ｃ１，ｃ２を閉制御に復旧することにより、中継器６よりステップＳ２で弁閉切替制御コマンドによる閉制御切替応答がステップＳ３のタイムオーバ前にあると、正常に弁閉制御切替えが行われたものと判断し、次にステップＳ４で自動弁の中継器６に対し自動弁オン制御コマンドにより自動弁オン制御の電文を送信する。
【００６９】
この自動弁オン制御の電文送信に対し、中継器６はリレーＢを動作し、リレー接点ｂ１，ｂ２の閉制御により、中継器６からステップＳ５で弁閉切替応答コマンドによる閉制御応答がステップＳ６のタイムオーバ前にあれば、自動弁の閉制御が正常に行われているものと判断し、自動弁１４が完全に閉じるまでの時間に余裕分をたした、例えば４０秒のカウントの後（ステップＳ７）、ステップＳ１０で自動弁の中継器６に対し自動弁オフ制御コマンドにより自動弁オフ制御の電文を送信する。
【００７０】
この自動弁オフ制御の電文送信に対し、ステップＳ１０で中継器６より自動弁オフ応答コマンドによる自動弁オフ制御応答をステップＳ１２のタイムオーバ前に受信すれば、水噴霧制御を停止した自動弁の中継器６は非作動状態に復旧したものと判断し、ステップＳ７で中継増幅盤７−１に鎖錠用電源切替制御コマンドによる電源切替制御電文を送信して、電源線に対する供給電圧をそれまでの４８ボルトから５ボルトに切り替える。
【００７１】
この電源切替制御電文の送信に対し、ステップＳ１２で中継増幅盤７−１より鎖錠用電源切替制御コマンドによる電源切替応答がＳ１３のタイムオーバ前にあれば、正常に中継増幅盤で５ボルトへの電源切替えが行われたものと判断し、一連の自動弁閉制御を正常終了して図４のメインルーチンにリターンする。
【００７２】
尚、ステップＳ７のカウント処理に代えて、消火配管に設けた圧力スイッチの検出信号を受信して、自動弁が閉じたことを確認した上でステップＳ８以降の処理を行ってもよい。
【００７３】
図８は、図５のステップＳ７の端末異常に対する異常対応処理の詳細を示したフローチャートであり、図２の中継増幅盤７−１側で端末異常が発生した場合を例にとって説明する。
【００７４】
図８の端末異常対応処理にあっては、ステップＳ１で中継増幅盤７−１〜７−ｎによる後段の電源線に接続した中継器の自動弁の監視電流増加信号、即ち中継増幅盤からの電流増加検出コマンドの受信の有無をチェックしている。中継増幅盤より電源線の電流増加検出信号を受信すると、ステップＳ２に進み、電流増加検出を行った中継増幅盤７−１の後段の電源線８ａ，８ｂに接続している全ての中継器６を対象に自動弁オフ制御の電文を送信する。
【００７５】
この電源線８ａ，８ｂの監視電流が増加する要因としては、車の衝突など何らかの影響で中継器６の内部回路の自動弁駆動用リレー接点ｂ１，ｂ２が閉じて、自動弁１４が電源線８ａ，８ｂに接続されるためで、自動弁１４の内部インピーダンスにより、監視電流が増加する。
【００７６】
この自動弁オフ制御の電文送信に対し、ステップＳ３で中継増幅盤７−１の後段の電源線８ａ，８ｂに接続している中継器６から自動弁オフ応答コマンドによる自動弁オフ制御応答の受信をチェックしており、全ての中継器６からの自動弁オフ制御応答が受信できなかった場合には、ステップＳ４でエラー表示を行う。
【００７７】
ステップＳ３で全ての中継器６からの自動弁オフ制御応答が得られれば、ステップＳ４のエラー表示をスキップしてステップＳ５に進む。ステップＳ５では、ステップＳ２の中継増幅盤７−１の後段の電源線に接続した全中継器６に対する自動弁オフ制御で復旧を行った後に再度、自動弁の電源線電流増加検出信号が受信するか否かチェックしており、正常に復旧できれば図４のメインルーチンにリターンする。
【００７８】
もし自動弁オフ制御を行ってもいずれかの中継器６で非作動の初期状態に復旧できなかった場合には、ステップＳ５で再度、電流増加検出信号が受信され、この場合にはステップＳ６で電流増加検出信号の受信が一定時間続いた時に、ステップＳ７に進み、自動弁オフ制御により電流増加が解消されない異常は電源線の短絡もしくは中継器６の故障と判断し、中継増幅盤７−１からの電源線８ａ，８ｂの異常表示を行う。
【００７９】
このように電源線８ａ，８ｂの電流を監視し、電流増加を検出したときには、中継増幅盤７より後段の全中継器６に対して閉制御を行ってリレー接点ｂ１，ｂ２を復旧させることで、実際に他の中継器を駆動させるため４８Ｖを供給したときに、駆動する自動弁以外の自動弁１４も開制御され誤放水されることを防いでいる。
【００８０】
更に、この実施形態にあっては、図２のように中継増幅盤７−１，７−２，・・・側には断線監視回路１２が設けられており、断線監視回路１２は前段の電源線８ａ，８ｂ側の監視電圧５ボルトを監視しており、この監視電圧５ボルトが断たれた時に前段の電源線８ａ，８ｂの断線と判断して、伝送制御回路１０により防災受信盤１に対し断線検出コマンドを送信し、これを受けて防災受信盤１で断線表示と断線箇所の表示が行われる。
【００８１】
そして断線監視回路１２は、前段の電源線８ａ，８ｂ側で断線が行われたことを検出すると、断線検出切替リレー１２ａ，１２ｂを後段の電源線８ａ，８ｂ側に切り替え、断線検出時には前段の電源線８ａ，８ｂに対しても電源供給を行うようになる。
【００８２】
尚、上記の電流増加時の中継器６の初期状態への復旧作業は、防災受信盤１でも行っており、防災受信盤１から引き出されている電源線８ａ，８ｂの電流を監視しており、電流が増加した場合には、防災受信盤１と中継増幅盤７−１の間にある中継器６に対し復旧制御を行う。
【００８３】
図９は本発明の中継増幅盤のフローチャートであり、図２の中継増幅盤７−１を例にとって説明すると次のようになる。まず定常時にあっては、中継増幅盤７−１は、図示のように電源切替リレーＡの切替リレー接点ａ１を５ボルト側に閉じている。
【００８４】
この状態でステップＳ１で防災受信盤１より鎖錠解用電源切替制御コマンドによる切替制御電文を受信すると、ステップＳ２で電源切替リレーＡをオンし、切替リレー接点ａ１を４８ボルト側に切り替えて電源４８ボルトを後段の電源線８ａ，８ｂに供給する。そしてステップＳ３で鎖錠解用電源切替応答コマンドによる電源切替応答の電文を防災受信盤１に送信する。
【００８５】
またステップＳ４で防災受信盤１より鎖錠用電源切替制御コマンドによる切替制御電文を受信すると、ステップＳ５で電源切替リレーＡをオフして復旧し、切替リレー接点ａ１を図示のように切り替え、電源５ボルトを後段の電源線８ａ，８ｂに供給し、ステップＳ６で鎖錠用電源切替応答コマンドによる電源切替応答の電文を防災受信盤１に送信する。
【００８６】
更にステップＳ７で後段の電源線８ａ，８ｂに対する５ボルトの電源供給状態で電源電流の増加を検出すると、ステップＳ８で電流増加検出コマンドにより電流増加検出信号の電文を防災受信盤１に送信する。このようなステップＳ１〜Ｓ８の処理を繰り返す。
【００８７】
図１０は本発明の中継器６の制御処理のフローチャートであり、図２の中継増幅盤７−１の後段の電源線８ａ，８ｂに接続した中継器６を例にとると次のようになる。
【００８８】
まずステップＳ１で防災受信盤１からの弁開切替制御コマンドによる開切替制御電文を受信すると、ステップＳ２で開閉切替リレーＣをオン（作動）し、切替リレー接点ｃ１，ｃ２を開制御側に切り替える。そしてステップＳ３で弁開切替応答コマンドによる開制御切替えの応答電文を防災受信盤１に送信する。
【００８９】
またステップＳ４で防災受信盤から弁閉切替制御コマンドによる閉切替制御電文を受信すると、ステップＳ５で開閉切替リレーＣをオフして復旧し、切替リレー接点ｃ１，ｃ２を閉制御側に切り替え、ステップＳ６で弁閉切替応答コマンドによる閉制御切替えの応答電文を防災受信盤１に送信する。
【００９０】
またステップＳ７で防災受信盤から自動弁オン制御コマンドによる自動弁オン制御電文を受信すると、ステップＳ８で自動弁駆動リレーＢをオンして作動し、リレー接点ｂ１，ｂ２を閉じることで自動弁１４を駆動する。
【００９１】
このとき切替リレー接点ｃ１，ｃ２の開位置であれば開制御、閉位置であれば閉制御となる自動弁１４の駆動が行われる。そしてステップＳ９で自動弁オン応答コマンドによるオン制御の応答電文を防災受信盤１に送信する。
【００９２】
更にステップＳ１０で、防災受信盤１から自動弁オフ制御コマンドによる自動弁オフ制御電文を受信すると、ステップＳ１１で自動弁駆動リレーＢをオフしてリレー接点ｂ１，ｂ２を開くことで、自動弁１４に対する電源供給を停止する。そしてステップＳ１２で、自動弁オフ応答コマンドによるオフ制御の応答電文を防災受信盤１に送信する。
【００９３】
更に、ステップＳ１３で消火配管に設けた自動弁の開閉状態を検出する圧力スイッチの検出状態に変更があるか確認し、変更があった場合には、ステップＳ１４で圧力スイッチの状態を防災受信盤１に送信する。つまり、自動弁の開制御により圧力検出信号が得られたときには、自動弁開応答コマンドを防災受信盤１へ送信し、自動弁の閉制御により圧力検出信号が復旧したときには、自動弁閉応答コマンドを防災受信盤１に送信する。そして、このようなステップＳ１〜Ｓ１４の処理を繰り返すことになる。
【００９４】
尚、上記の実施形態にあっては、図２の中継器６による自動弁１４の駆動開始を防災受信盤１からの自動弁オン制御コマンドによる自動弁駆動リレーＢの作動で行い、自動弁１４の停止を防災受信盤１からの自動弁オフ制御コマンドによる自動弁駆動リレーＢの復旧で行っているが、自動弁１４の駆動停止については、自動弁オン制御コマンドの受信で自動弁駆動リレーＢをオンした後に、伝送回路１３に内蔵しているタイマで弁開制御または弁閉制御に必要な一定時間後に自動弁駆動リレーＢをオフして復旧するようにしてもよい。
【００９５】
また上記の実施形態にあっては、自動弁オン制御コマンド、自動弁オフ制御コマンド、弁開切替制御コマンド、弁閉切替制御コマンドのそれぞれに対し、応答コマンドを中継器６から防災受信盤１に送るようにしているが、これらのステータスの応答コマンドについても必要に応じて省略することができる。
【００９６】
更に上記の実施形態にあっては、中継器６に対し自動弁１４の開閉切替制御のコマンドと自動弁駆動制御のコマンドを別々に送っているが、これらを１つにして自動弁開制御駆動コマンド及び自動弁閉制御駆動コマンドとして防災受信盤１から送信するようにしてもよい。
【００９７】
また、上記の実施形態においては、防災受信盤と中継器が直接伝送のやりとりを行っているが、中継増幅盤が後段の中継器の状態を監視し、中継器の状態を中継増幅盤が防災受信盤に送信するようにしても良い。同様に防災受信盤は中継増幅盤に中継器に対する信号を送信し、中継増幅盤が中継器に対して制御信号を送信しても良い。
【００９８】
また本発明における電流増加検出時の中継器の復旧作業は中継増幅盤が防災受信盤を介さずに直接行っても良い。更に本発明は、防災受信盤の後段に中継器を設けた構成であるが、これに限定されず、中継増幅盤を設けず、防災受信盤から引き出された信号線に中継器が接続される構成であっても本発明を適用できる。
【００９９】
また本発明は上記の実施形態に限定されず、その目的と利点を損なわない適宜の変形を含む。更に、本発明は上記の実施形態に示した数値による限定は受けない。
【０１００】
【発明の効果】
以上説明してきたように本発明によれば、防災受信盤又は中継増幅盤の後段の電源線に対し、水噴霧制御を行わない定常時（鎖状時）にあっては、電源線に自動弁を駆動する電圧より低い線路監視電圧しか供給されていないため、トンネル内での車両事故による衝突など、何らかの影響で中継器の自動弁駆動リレーのリレー接点が駆動側に閉じた場合でも自動弁が開放駆動されることがなく、中継器の駆動側への誤動作で水噴霧ヘッドから誤放水が行われることを確実に防止できる。
【０１０１】
また水噴霧制御を行わない定常時（鎖錠時）の電源線に対する線路監視電圧による電流を監視し、中継器の誤作動で自動弁駆動リレー接点が駆動側に誤作動した時の電源線インピーダンスの低下による監視電流の増加を検出し、この電流増加検出で中継器を強制的に非作動側に復旧させることで、水噴霧制御のために防災受信盤や中継増幅盤の電源を自動弁の駆動電圧に切り替えた時の自動弁の誤作動を確実に防止することができる。
【図面の簡単な説明】
【図１】本発明のシステム構成の説明図
【図２】図１の中継増幅盤と中継器の実施形態を示した回路ブロック図
【図３】図１の防災受信盤と中継器の実施形態の回路ブロック図
【図４】図１のシステムで使用するコマンドの説明図
【図５】本発明における防災受信盤の処理動作のフローチャート
【図６】図４の自動弁開制御のフローチャート
【図７】図４の自動弁閉制御のフローチャート
【図８】図４の端末異常対応処理のフローチャート
【図９】本発明における中継増幅盤の処理動作のフローチャート
【図１０】本発明における中継器の処理動作のフロートャート
【符号の説明】
１：防災受信盤
２ａ：上り線
２ｂ：下り線
３：検知器ライン
４：中継器ライン
５：火災検知器
６：中継器
７−１〜７−ｎ：中継増幅盤
８：ポンプ制御盤
９：伝送線
８ａ，８ｂ：電源線
１０：伝送制御回路
１１：電流検出回路
１２：断線検出回路
１２ａ，１２ｂ：断線切替リレー接点
１３：伝送回路
１４：自動弁
１５：水噴霧用ヘッド
Ａ：電源切替リレー
１ａ：切替リレー接点
Ｂ：自動弁駆動リレー
ｂ１，ｂ２：リレー接点
Ｃ：開閉切替制御リレー
ｃ１，ｃ２：切替リレー接点
【図１】
0003778543.tif 000002
【図２】
0003778543.tif 000003
【図３】
0003778543.tif 000004
【図４】
0003778543.tif 000005
【図５】
0003778543.tif 000006
【図６】
0003778543.tif 000007
【図７】
0003778543.tif 000008
【図８】
0003778543.tif 000009
【図９】
0003778543.tif 000010
【図１０】
0003778543.tif 000011